(57)【特許請求の範囲】
【請求項１】
引下線を架線に掛けて支持するための引下線支持補助具であって、
架線を水平方向から挟んで配置される一対の支持カバー部と、該一対の支持カバー部の下端側が離接可能なように該一対の支持カバー部の上端側同士を連結する連結部とを備え、
一対の支持カバー部のそれぞれは、引下線をガイドするガイド部を備え、
一方の支持カバー部のガイド部は、一対の支持カバー部に架線を通す位置より下方の位置から上方の位置に引下線をガイドする第１の上下方向ガイド部を備え、
他方の支持カバー部のガイド部は、第１の上下方向ガイド部にガイドされた引下線を、一対の支持カバー部に架線を通す位置より上方の位置から下方の位置にガイドする第２の上下方向ガイド部を備える引下線支持補助具。
【請求項２】
ガイド部は、一対の支持カバー部が互いに向かい合う面上に設けられる一対の突部であって、引下線がガイドされる方向に該引下線が移動可能に保持される一対の突部である請求項１に記載の引下線支持補助具。
【請求項３】
ガイド部は、一対の支持カバー部に引き込まれる引下線を第１の上下方向ガイド部にガイドする引込ガイド部と、第２の上下方向ガイド部から下方に引下線をガイドする引出ガイド部とを備える請求項１又は請求項２に記載の引下線支持補助具。
【請求項４】
ガイド部は、一対の支持カバー部に引き込まれる引下線を第１の上下方向ガイド部にガイドする引込ガイド部と、第２の上下方向ガイド部から架線に沿う方向に引下線をガイドして引き出す引出ガイド部とを備える請求項１又は請求項２に記載の引下線支持補助具。
【請求項５】
一対の支持カバー部及び連結部には、一方の支持カバー部から連結部を跨いで他方の支持カバー部まで連続して形成される貫通孔を備え、
該貫通孔は、引下線が第１の上下方向ガイド部から第２の上下方向ガイド部に向かう経路上に沿って設けられる請求項１〜請求項４のいずれか１項に記載の引下線支持補助具。
【請求項６】
架線から引下線を分岐させる分岐部を覆う分岐部カバーを備える請求項１〜請求項５のいずれか１項に記載の引下線支持補助具。
【請求項７】
請求項１〜６のいずれか１項に記載の引下線支持補助具を用いて引下線を架線に掛けて支持する引下線支持方法であって、
一対の支持カバー部の第１の上下方向ガイド部及び第２の上下方向ガイド部に架線をガイドし、その後、一対の支持カバー部の連結部を上方にして、一対の支持カバー部を架線に水平方向から挟持する引下線支持方法。
【発明の詳細な説明】
【技術分野】
【０００１】
本発明は、引下線を架線に掛けて支持するための引下線支持補助具及び引下線支持方法に関する。
【背景技術】
【０００２】
従来から、各需要設備は、架線から分岐された引下線に接続されている。引下線は、絶縁被覆が剥がされた架線の導体部分にコネクタを圧着して接続されている。この架線から引下線を分岐した分岐部に対して引下線による張力がかからないように、引下線は、架線に巻き付けられる。引下線は、その後に分岐部にコネクタを圧着して接続される。この架線に引下線を巻き付ける作業は、間接活線作業で行う場合、直接活線作業で行う場合と比較して手間がかかる。
【０００３】
特許文献１に記載された引下線支持補助具（引下線補強ホルダー）は、架線（送配電線）と引下線とを挟持する一対の合掌片部を備える。この引下線支持補助具は、引下線を架線に巻き付けることなく、架線の下方に並行して引下線を取り付けるものである。そのため、この架線に引下線を支持する作業は、間接活線作業であっても容易にできる。しかし、引下線の張力が引下線支持補助具にかかるとともに、引下線支持補助具を介して分岐部にもその張力の一部が加わる恐れがある。
【先行技術文献】
【特許文献】
【０００４】
【特許文献１】特開平０８−１１４２８４号公報
【発明の概要】
【発明が解決しようとする課題】
【０００５】
よって、本発明は、かかる事情に鑑み、架線から引下線を分岐させた分岐部に引下線による張力がかからないように引下線を架線に掛ける作業が簡単にできる引下線支持補助具及び引下線支持方法を提供することを課題とする。
【課題を解決するための手段】
【０００６】
本発明に係る引下線支持補助具は、引下線を架線に掛けて支持するための引下線支持補助具であって、架線を水平方向から挟んで配置される一対の支持カバー部と、該一対の支持カバー部の下端側が離接可能なように該一対の支持カバー部の上端側同士を連結する連結部とを備え、一対の支持カバー部のそれぞれは、引下線をガイドするガイド部を備え、一方の支持カバー部のガイド部は、一対の支持カバー部に架線を通す位置より下方の位置から上方の位置に引下線をガイドする第１の上下方向ガイド部を備え、他方の支持カバー部のガイド部は、第１の上下方向ガイド部にガイドされた引下線を、一対の支持カバー部に架線を通す位置より上方の位置から下方の位置にガイドする第２の上下方向ガイド部を備えることを特徴とする。
【０００７】
かかる構成によれば、引下線は、一対の支持カバー部に架線を通す位置より下方の位置から一方の支持カバー部の第１の上下方向ガイド部にガイドされ、一方の支持カバー部から連結部を跨いで他方の支持カバー部の第２の上下方向ガイド部にガイドされ、第２の上下方向ガイド部から架線を通す位置より下方の位置にガイドされる。このように引下線が一対の支持カバー部及び連結部にガイドされた状態で、一対の支持カバー部の間に架線を通すと、引下線が架線の下方の位置から第１の上下方向ガイド部を介して上方の位置にガイドされ、一方の支持カバー部から架線の上方を跨いで他方の支持カバー部に沿ってガイドされ、架線の上方の位置から第２の上下方向ガイド部を介して下方の位置にガイドされる。この際、引下線は、一対の支持カバー部及び連結部の内側に位置しており、引下線支持補助具が架線に載せられることにより、引下線は、架線に掛けられる。引下線支持補助具は、架線に直接支持されずに、架線を覆う。このようにして、架線から引下線を分岐させた分岐部に引下線による張力がかからないように引下線を架線に簡単に掛けることができる。
【０００８】
また、本発明に係る引下線支持補助具の一態様として、ガイド部は、一対の支持カバー部が互いに向かい合う面上に設けられる一対の突部であって、引下線がガイドされる方向に該引下線が移動可能に保持される一対の突部であることが好ましい。
【０００９】
かかる構成によれば、引下線支持補助具が架線に載せられる際に、引下線が一対の突部に保持されて、引下線を一対の支持カバー部及び連結部にガイドされた状態が保たれる。そのため、引下線支持補助具は、引下線を脱落することなく、架線まで容易に移動させることができる。
【００１０】
また、本発明に係る引下線支持補助具の他態様として、ガイド部は、一対の支持カバー部に引き込まれる引下線を第１の上下方向ガイド部にガイドする引込ガイド部と、第２の上下方向ガイド部から下方に引下線をガイドする引出ガイド部とを備えることが好ましい。
【００１１】
かかる構成によれば、引下線は、他方の支持カバー部の第２の上下方向ガイド部から引出ガイド部にガイドされる。このことにより、引下線は、架線に掛けられる。このようにして、引下線は、一対の支持カバー部の下方から引き出される。
【００１２】
また、本発明に係る引下線支持補助具の他態様として、ガイド部は、一対の支持カバー部に引き込まれる引下線を第１の上下方向ガイド部にガイドする引込ガイド部と、第２の上下方向ガイド部から架線に沿う方向に引下線をガイドして引き出す引出ガイド部とを備えることが好ましい。
【００１３】
かかる構成によれば、引下線が他方の支持カバー部の第２の上下方向ガイド部から引出ガイド部にガイドされる。このことにより、引下線は、架線に掛けられる。このようにして、引下線は、架線に沿って一対の支持カバー部から引き出される。
【００１４】
また、本発明に係る引下線支持補助具の他態様として、一対の支持カバー部及び連結部には、一方の支持カバー部から連結部を跨いで他方の支持カバー部まで連続して形成される貫通孔を備え、該貫通孔は、引下線が第１の上下方向ガイド部から第２の上下方向ガイド部に向かう経路上に沿って設けられることが好ましい。
【００１５】
かかる構成によれば、引下線支持補助具が架線に載せられた後、一方の支持カバー部の第１の上下方向ガイド部から他方の支持カバー部の第２の上下方向ガイド部にガイドされる引下線の上下方向の高さ位置を引下線支持補助具の外部から貫通孔を介して調整することができるようになる。
【００１６】
また、本発明に係る引下線支持補助具の他態様として、架線から引下線を分岐させる分岐部を覆う分岐部カバーを備えることが好ましい。
【００１７】
かかる構成によれば、引下線が架線に掛けられるだけでなく、さらに、分岐部を分岐部カバーで覆うこともできるようになる。
【００１８】
本発明に係る引下線支持方法は、前記いずれかに記載の引下線支持補助具を用いて引下線を架線に掛けて支持する引下線支持方法であって、一対の支持カバー部の第１の上下方向ガイド部及び第２の上下方向ガイド部に架線をガイドし、その後、一対の支持カバー部の連結部を上方にして、一対の支持カバー部を架線に水平方向から挟持することを特徴とする。
【００１９】
かかる構成によれば、引下線は、一対の支持カバー部に架線を通す位置より下方の位置から一方の支持カバー部の第１の上下方向ガイド部にガイドされ、一方の支持カバー部から連結部を跨いで他方の支持カバー部の第２の上下方向ガイド部にガイドされ、第２の上下方向ガイド部から架線を通す位置より下方の位置にガイドされる。このように引下線が一対の支持カバー部及び連結部にガイドされた状態で、一対の支持カバー部の間に架線を通すと、引下線が架線の下方の位置から第１の上下方向ガイド部を介して上方の位置にガイドされ、一方の支持カバー部から架線の上方を跨いで他方の支持カバー部に沿ってガイドされ、架線の上方の位置から第２の上下方向ガイド部を介して下方の位置にガイドされる。この際、引下線は、一対の支持カバー部及び連結部の内側に位置しており、引下線支持補助具が架線に載せられることにより、引下線は、架線に掛けられる。引下線支持補助具は、架線に直接支持されずに、架線を覆う。このようにして、架線から引下線を分岐させた分岐部に引下線による張力がかからないように引下線を架線に簡単に掛けることができる。
【発明の効果】
【００２０】
以上の如く、架線から引下線を分岐させた分岐部に引下線による張力がかからないように引下線を架線に掛ける作業が簡単にできるという優れた効果を奏する。
【図面の簡単な説明】
【００２１】
【図１】図１は、本発明の一実施形態に係る引下線支持補助具の正面図である。
【図２】図２は、同実施形態に係る引下線支持補助具の下面図である。
【図３】図３は、同実施形態に係る引下線支持補助具の断面図である。
【図４】図４は、同実施形態に係る引下線支持補助具の展開図である。
【図５】図５は、同実施形態に係る引下線支持補助具に引下線をガイドした状態を示す図である。
【図６】図６は、同実施形態に係る引下線支持補助具を架線に載せた状態を示す図である。
【図７】図７は、図６のＡ−Ａ線断面図である。
【図８】図８は、図６のＢ−Ｂ線断面図である。
【図９】図９は、同実施形態に係る引下線支持補助具に分岐部カバーを取り付けた状態を示す図である。
【図１０】図１０は、分岐部に分岐部カバーを被せた状態を示す図である。
【図１１】図１１は、図１０のＡ−Ａ線断面図である。
【図１２】図１２は、同実施形態に係る引下線支持補助具に引下線を他の経路でガイドした状態を示す図である。
【図１３】図１３は、同実施形態に係る引下線支持補助具を架線に装着した状態を示す図である。
【図１４】図１４は、図１３のＡ−Ａ線断面図である。
【図１５】図１５は、図１３のＢ−Ｂ線断面図である。
【図１６】図１６は、他の実施形態に係る引下線支持補助具に引下線をガイドした状態を示す図である。
【図１７】図１７は、同実施形態に係る引下線支持補助具を架線に載せた状態を示す図である。
【図１８】図１８は、図１７のＡ−Ａ線断面図である。
【図１９】図１９は、他の実施形態に係る引下線支持補助具を架線に載せた状態の、図１７のＡ−Ａ線断面図である。
【発明を実施するための形態】
【００２２】
本発明の一実施形態に係る引下線支持補助具について、図１〜図１５を参照しつつ説明する。引下線支持補助具１は、図１に示すように、引下線Ｗ１を架線Ｗ２に掛けて支持するための工具である。引下線支持補助具１は、架線Ｗ２を水平方向から挟んで配置される一対の支持カバー部２，２と、該一対の支持カバー部２，２の下端側が離接可能なように上端側同士を連結する連結部３と、架線Ｗ２から引下線Ｗ１を分岐させた分岐部Ｗ３を覆う分岐部カバー４とを備える。
【００２３】
一対の支持カバー部２，２は、図１〜図４に示すように、略円筒形状に形成されている。一対の支持カバー部２，２の筒芯方向の両端部の形状が載頭円錐体状となるように、一対の支持カバー部２，２の筒芯方向の両端部は、その内径が端部に向かうにつれて小さくなるように形成されている。
【００２４】
一対の支持カバー部２，２の筒芯方向の両端部には、これらの電線が一対の支持カバー部２，２の内側に入る入口側電線開口２Ａと、これらの電線が一対の支持カバー部２，２の内側から出る出口側電線開口２Ｂとが設けられている。入口側電線開口２Ａ及び出口側電線開口２Ｂは、少なくとも架線Ｗ２が通る径を有し、好ましくは、架線Ｗ２と引下線Ｗ１とが通る径を有する。入口側電線開口２Ａは、一対の支持カバー部２，２の筒芯方向の一端側（図１の右側に相当。以下、「前方側」と呼ぶ）に設けられ、架線Ｗ２と引下線Ｗ１とが通る径を有する。出口側電線開口２Ｂは、一対の支持カバー部２，２の筒芯方向の略中央の下部の下方側電線開口２Ｃと、一対の支持カバー部２，２の筒芯方向の他端側（図１の左側に相当。以下、「後方側」と呼ぶ）の後方側電線開口２Ｄとに設けられる。下方側電線開口２Ｃは、引下線Ｗ１が通る径を有する。後方側電線開口２Ｄは、架線Ｗ２と引下線Ｗ１とが通る径を有する。
【００２５】
なお、本明細書では、図７及び図８などに示すように、架線Ｗ２に対して水平方向（図７の左右方向に相当）の両側に対峙する形で一対の支持カバー部２，２を配置したときの姿勢を基準にその方向を指す。例えば、一対の支持カバー部２，２に対して上端とは、一対の支持カバー部２，２の長手方向に沿う端部のうち、開放端側（連結部に連結されていない端部）に位置する端部を指し、一対の支持カバー部２，２に対して下端とは、一対の支持カバー部２，２の長手方向の端部のうち、連結部側に位置する端部を指す。
【００２６】
一対の支持カバー部２，２のそれぞれは、図４に示すように、半円筒形状に形成され且つその両端側の内径が端部に向かうにつれて小さくなるように形成されている支持カバー本体２１と、引下線Ｗ１をガイドするガイド部２２と、筒芯方向の略中央且つ上端側に設けられる凹状の第１凹部２６と、筒芯方向の略中央且つ下端側に設けられる凹状の第２凹部２７と、間接活線作業操作具で把持するための把持部２８と、一方の支持カバー部２と他方の支持カバー部２とを閉じる閉止部２９とを備える。
【００２７】
支持カバー本体２１は、架線Ｗ２及び引下線Ｗ１を絶縁保護すべく絶縁材料により成形されている。ガイド部２２は、図７及び図８に示すように、一対の支持カバー部２，２が互いに向かい合う面上に設けられる一対の突部２３，２３である。一対の突部２３，２３は、引下線Ｗ１がガイドされる方向に該引下線Ｗ１が移動可能な間隔をあけて配置されている。一対の突部２３，２３のそれぞれには、支持カバー本体２１の内周面上に径方向に突出して形成される矩形状の突部本体２４，２４と、該突部本体２４，２４の互いに対向する面に円弧状の凹部２５，２５とを備える。引下線Ｗ１は、一対の突部２４，２４の間に形成される隙間Ｇに挿入されて位置規制される。
【００２８】
ガイド部２２は、図４に示すように、支持カバー本体２１の内周面上に複数設けられる。具体的には、ガイド部２２は、一対の支持カバー部２，２の内部で上下方向に引下線Ｗ１をガイドする上下方向ガイド部２２Ａと、一対の支持カバー部２，２の外側から内側に引き込まれる引下線Ｗ１を上下方向ガイド部２２Ａにガイドする引込ガイド部２２Ｄと、一対の支持カバー部２，２の内側から外側に引き出される引下線Ｗ１を上下方向ガイド部２２Ａからガイドする引出ガイド部２２Ｅとを備える。
【００２９】
上下方向ガイド部２２Ａは、支持カバー本体２１の筒芯方向の略中間位置に配置される。具体的には、上下方向ガイド部２２Ａの一対の突部２３，２３は、筒芯方向に並んで配置され、一対の突部２３，２３が形成する隙間Ｇは、筒芯方向に開いている。
【００３０】
上下方向ガイド部２２Ａは、一方の支持カバー部２（図４の上側の支持カバー部）に設けられる第１の上下方向ガイド部２２Ｂと、他方の支持カバー部２（図４の下側の支持カバー部）に設けられる第２の上下方向ガイド部２２Ｃとを備える。第１の上下方向ガイド部２２Ｂは、（架線Ｗ２に載せられた状態にある）一対の支持カバー部２，２において、架線Ｗ２を通す位置より下方の位置から上方の位置に引下線Ｗ１をガイドする。第２の上下方向ガイド部２２Ｃは、（架線Ｗ２に載せられた状態にある）一対の支持カバー部２，２において、架線Ｗ２を通す位置より上方の位置から下方の位置に引下線Ｗ１をガイドする。
【００３１】
引込ガイド部２２Ｄは、一対の支持カバー部２，２の前方側から後方側に引下線Ｗ１をガイドする。具体的には、引込ガイド部２２Ｄは、架線Ｗ２を通す方向（筒芯方向）に並んで設けられる。引込ガイド部２２Ｄは、一対の支持カバー部２，２の一端側（前方側）から上下方向ガイド部２２Ａまでの間の支持カバー本体２１の内周面上に設けられる。より好ましくは、引込ガイド部２２Ｄは、架線Ｗ２を通す位置より下方の支持カバー本体２１の内周面上に設けられる。引込ガイド部２２Ｄの一対の突部２３，２３は、周方向に並んで配置され、引込ガイド部２２Ｄの一対の突部２３，２３が形成する隙間Ｇは、周方向に開いている。
【００３２】
引出ガイド部２２Ｅは、第２の上下方向ガイド部２２Ｃから下方に引下線Ｗ１をガイドする下方方向ガイド部２２Ｆと、第２の上下方向ガイド部２２Ｃから架線Ｗ２に沿う方向に引下線Ｗ１をガイドする後方向ガイド部２２Ｇとを備える。
【００３３】
下方方向ガイド部２２Ｆは、架線Ｗ２を通す位置より下方の支持カバー本体２１の内周面上に設けられる。下方方向ガイド部２２Ｆの一対の突部２３，２３は、筒芯方向に並んで配置され、下方方向ガイド部２２Ｆの一対の突部２３，２３が形成する隙間Ｇは、筒芯方向に開いている。本実施形態に係る上下方向ガイド部２２Ａ及び下方方向ガイド部２２Ｆは、支持カバー本体２１の周方向に並んで配置される。
【００３４】
後方向ガイド部２２Ｇは、一対の支持カバー部２，２の前方側から後方側に引下線Ｗ１をガイドする。具体的には、後方向ガイド部２２Ｇは、架線Ｗ２を通す方向に並んで設けられる。後方向ガイド部２２Ｇは、上下方向ガイド部２２Ａから一対の支持カバー部２，２の他端側までの間の支持カバー本体２１の内周面上に設けられる。より好ましくは、後方向ガイド部２２Ｇは、架線Ｗ２を通す位置より下方の支持カバー本体２１の内周面上に設けられる。後方向ガイド部２２Ｇの一対の突部２３，２３は、周方向に並んで配置され、後方向ガイド部２２Ｇの一対の突部２３，２３が形成する隙間Ｇは、周方向に開いている。
【００３５】
なお、本実施形態に係る引込ガイド部２２Ｄ及び後方向ガイド部２２Ｇは、上下方向ガイド部２２Ａが設けられる位置を中心に、前後対象となるように配置される。また、本実施形態に係る一方の支持カバー部２に設けられる第１の上下方向ガイド部２２Ｂ、引込ガイド部２２Ｄ、下方方向ガイド部２２Ｆ及び後方向ガイド部２２Ｇの位置と、他方の支持カバー部２に設けられる第２の上下方向ガイド部２２Ｃ、引込ガイド部２２Ｄ、下方方向ガイド部２２Ｆ及び後方向ガイド部２２Ｇの位置とは、連結部３で線対象となるように配置される。
【００３６】
第１凹部２６は、一対の支持カバー部２，２のそれぞれに設けられ、第１凹部２６，２６は、後述する連結部３の開口部３２と一体の貫通孔Ｈを形成する。該貫通孔Ｈは、引下線Ｗ１を通すことができる幅を有する。貫通孔Ｈは、引下線Ｗ１が第１の上下方向ガイド部２２Ｂから第２の上下方向ガイド部２２Ｃに向かう経路上に沿って設けられる。
【００３７】
第２凹部２７は、一対の支持カバー部２，２のそれぞれに設けられ、一対の支持カバー部２，２を閉じたときに下方側電線開口２Ｃを形成する。
【００３８】
把持部２８は、他方の支持カバー部２の下端側に設けられる板形状の部材である。把持部２８は、下方に向かって設けられる。
【００３９】
閉止部２９は、一対の支持カバー部２，２の両方の下端側に設けられ、一方の閉止部２９は、凸部２９Ａを有し、他方の閉止部２９は、孔部２９Ｂを有する。一方の閉止部２９の凸部２９Ａを他方の閉止部２９の孔部２９Ｂに嵌め込むことにより、一対の閉止部２９，２９は、一対の支持カバー部２，２を閉じる。
【００４０】
連結部３は、一方の支持カバー部２の上端と他方の支持カバー部２の上端とを連結する連結部材３１と、一対の支持カバー２，２の筒芯方向における該連結部材３１の略中間位置に設けられる開口部３２と、一方の支持カバー部２と他方の支持カバー部２との略中間位置に一対の支持カバー２，２の筒芯方向に沿って連続して形成される薄肉部３３と、連結部材３１の両端部に薄肉部３３を挟んで連続して形成されるスリット状の貫通部３４とを備える。
【００４１】
分岐部カバー４は、図１及び図１１に示すように、架線Ｗ２から引下線Ｗ１を分岐させる分岐部Ｗ３を覆う。分岐部カバー４は、断面視Ｕの字形状のカバー本体４１と、該カバー本体４１の互いに対向する面を貫通する一対の貫通孔４２，４２と、該一対の貫通孔４２，４２に嵌め込まれる軸部４３と、該軸部４３を貫通孔４２から脱落防止する脱落防止部４４とを備える。
【００４２】
次に、本実施形態に係る引下線支持補助具１を用いて引下線Ｗ１を架線Ｗ２に掛けて支持する引下線支持方法について、図５〜図１５を参照しつつ説明する。
【００４３】
まず、引下線Ｗ１を架線Ｗ２に掛けた後、引下線Ｗ１をそのまま下方に下ろす場合について、図５〜図１１を参照しつつ説明する。図５に示すように、一対の支持カバー部２，２を開いて、一対の支持カバー部２，２のガイド部２２のそれぞれに引下線Ｗ１をガイドさせる。つまり、引下線Ｗ１を引込ガイド部２２Ｄ，…に取り付けることにより、引下線Ｗ１が一方の支持カバー部２の一端側（前方側）から後方側に向かってガイドされる。一方の支持カバー部２の筒芯方向の略中間位置で他方の支持カバー部２に向けて引下線Ｗ１を曲げて、第１の上下方向ガイド部２２Ｂに取り付ける。さらに、引下線Ｗ１を他方の第２の上下方向ガイド部２２Ｃに取り付けることにより、引下線Ｗ１が一方の支持カバー部２の第１の上下方向ガイド部２２Ｂから他方の支持カバー部２の第２の上下方向ガイド部２２Ｃまでガイドされる。引下線Ｗ１を後方に曲げて、引下線Ｗ１を引出ガイド部２２Ｅの後方向ガイド部２２Ｇ，…に取り付けることにより、引下線Ｗ１が他方の支持カバー部２の他端側（後方側）に向かってガイドされる。
【００４４】
その後、図６に示すように、間接活線作業具などで把持部２８を把持して、一対の支持カバー部２，２の連結部３を上方にして、一方の支持カバー部２と他方の支持カバー部２とを連結部３で折り返し、一対の支持カバー部２，２を架線Ｗ２に水平方向から挟持する。そして、閉止部２９で一方の支持カバー部２と他方の支持カバー部２との両下端を閉じて、引下線支持補助具１を架線Ｗ２に載せる。
【００４５】
このとき、図７及び図８に示すように、引下線Ｗ１は、架線Ｗ２の下方から架線Ｗ２の上方を通過して再び架線Ｗ２の下方に来るように一対の支持カバー部２，２の内側に配置されている。つまり、引下線Ｗ１は、一対の支持カバー部２，２の内側に沿って逆Ｕの字状にガイドされている。そのため、架線Ｗ２に引下線支持補助具１を載せると、引下線支持補助具１の自重により引下線Ｗ１の逆Ｕの字状の頂部（の下側面）が架線Ｗ２に当接するまで引下線支持補助具１が下がり、架線Ｗ２に引下線Ｗ１が掛かった状態となる。
【００４６】
なお、引下線支持補助具１を架線Ｗ２に載せる前に、貫通孔Ｈから引下線Ｗ１を余分に外側に引き出し、引下線Ｗ１の逆Ｕの字状の頂部の位置を架線Ｗ２に対して高くなるようにその位置を調整しておいてもよい。この場合、引下線支持補助具１を架線Ｗ１に載せた後、引下線Ｗ１の一端を引っ張るなどして、引下線Ｗ１が架線Ｗ２と当接するように調整することができるようになり、引下線Ｗ１の張力が架線Ｗ２に係り、架線Ｗ２との分岐部Ｗ３に及ばないようにすることができる。
【００４７】
その後、図９に示すように、引下線支持補助具１が架線Ｗ２に支持される位置が分岐部Ｗ３に隣接する場合、分岐部カバー４の軸部４３を連結部３の貫通部３４に通して、引下線支持補助具１に分岐部カバー４を取り付ける。そして、分岐部カバー４の軸部４３を中心に回動させて、分岐部Ｗ３を分岐部カバー４で覆う。
【００４８】
また、引下線Ｗ１を架線Ｗ２に掛けた後、さらに架線Ｗ２に沿って後方に沿わす場合について、図１２〜図１５を参照しつつ説明する。図１２に示すように、引下線Ｗ１を引込ガイド部２２Ｄ，…に取り付けることにより、引下線Ｗ１を一方の支持カバー部２の一端側（前方側）から後方側に向かってガイドさせる。一方の支持カバー部２の筒芯方向の略中間位置で他方の支持カバー部２に向けて引下線Ｗ１を曲げて、第１の上下方向ガイド部２２Ｂに取り付ける。引下線Ｗ１を他方の第２の上下方向ガイド部２２Ｃ及び下方方向ガイド部２２Ｆに取り付けることにより、引下線Ｗ１が一方の支持カバー部２の第１の上下方向ガイド部２２Ｂから他方の支持カバー部２の下方方向ガイド部２２Ｆまでガイドされる。
【００４９】
その後、図１３に示すように、間接活線作業具などで把持部２８を把持して、一対の支持カバー部２，２の連結部３を上方にして、一方の支持カバー部２と他方の支持カバー部２とを連結部３で折り返し、一対の支持カバー部２，２を架線Ｗ２に水平方向から挟持する。そして、閉止部２９で一方の支持カバー部２と他方の支持カバー部２との両下端を閉じて、引下線支持補助具１を架線Ｗ２に載せる。
【００５０】
このときも、図１４及び図１５に示すように、引下線Ｗ１は、架線Ｗ２の下方から架線Ｗ２の上方を通過して再び架線Ｗ２の下方に来るように一対の支持カバー部２，２の内側に配置されている。そのため、架線Ｗ２に引下線支持補助具１を載せると、引下線支持補助具１の自重により引下線Ｗ１の逆Ｕの字状の頂部（の下側面）が架線Ｗ２に当接するまで引下線支持補助具１が下がり、架線Ｗ２に引下線Ｗ１が掛かった状態となる。
【００５１】
このようにして、引下線Ｗ１は、一対の支持カバー部２，２に架線Ｗ２を通す位置より下方の位置から一方の支持カバー部２の第１の上下方向ガイド部２２Ｂにガイドされ、一方の支持カバー部２から連結部３を跨いで他方の支持カバー部２の第２の上下方向ガイド部２２Ｃにガイドされ、第２の上下方向ガイド部２２Ｃから架線Ｗ２を通す位置より下方の位置にガイドされる。このように引下線Ｗ１が一対の支持カバー部２，２及び連結部３にガイドされた状態で、一対の支持カバー部２，２の間に架線Ｗ２を通すと、引下線Ｗ１が架線Ｗ２の下方の位置から第１の上下方向ガイド部２２Ｂを介して上方の位置にガイドされ、一方の支持カバー部２から架線Ｗ２の上方を跨いで他方の支持カバー部２にガイドされ、架線Ｗ２の上方の位置から第２の上下方向ガイド部２２Ｃを介して下方の位置にガイドされる。この際、引下線Ｗ１は、一対の支持カバー部２，２及び連結部３の内側に位置しており、引下線支持補助具１が架線Ｗ２に載せられることにより、引下線Ｗ１は、架線Ｗ２に掛けられる。引下線支持補助具１は、架線Ｗ２に直接支持されずに、架線Ｗ２を覆う。このようにして、架線Ｗ２から引下線Ｗ１を分岐させた分岐部Ｗ３に引下線Ｗ１による張力がかからないように引下線Ｗ１を架線Ｗ２に簡単に掛けることができる。
【００５２】
引下線支持補助具１が架線Ｗ２に載せられる際に、引下線Ｗ１が一対の突部２３，２３に保持されて、引下線Ｗ１を一対の支持カバー部２，２及び連結部３にガイドされた状態が保たれる。そのため、引下線支持補助具１は、引下線Ｗ１を脱落することなく、架線Ｗ２まで容易に移動させることができる。
【００５３】
引下線Ｗ１が他方の支持カバー部２の第２の上下方向ガイド部２２Ｃから後方向ガイド部２２Ｇにガイドされる。このことにより、引下線Ｗ１は、架線Ｗ２に掛けられる。このようにして、引下線Ｗ１は、架線Ｗ２に沿って一対の支持カバー部２，２から引き出される。
【００５４】
引下線Ｗ１が他方の支持カバー部２の第２の上下方向ガイド部２２Ｃから下方方向ガイド部２２Ｆにガイドされる。このことにより、引下線Ｗ１は、架線Ｗ２に掛けられる。このようにして、引下線Ｗ１は、一対の支持カバー部２，２の下方から引き出される。
【００５５】
引下線支持補助具１が架線Ｗ２に載せられた後、一方の支持カバー部２の第１の上下方向ガイド部２２Ｂから他方の支持カバー部２の第２の上下方向ガイド部２２Ｃにガイドされる引下線Ｗ１の上下方向の高さ位置を引下線支持補助具１の外部から貫通孔Ｈを介して調整することができるようになる。
【００５６】
引下線Ｗ１が架線Ｗ２に掛けられるだけでなく、さらに、分岐部Ｗ３を分岐部カバー４で覆うこともできるようになる。
【００５７】
なお、本発明は、上記実施形態に限定されず、本発明の要旨を逸脱しない範囲で様々な変更が可能である。
【００５８】
例えば、上記実施形態に係る引下線支持補助具１は、一対の支持カバー部２，２に上下方向ガイド部２２Ａ、引込ガイド部２２Ｄ及び引出ガイド部２２Ｅを備える例を説明した。しかし、引込ガイド部２２Ｄ及び引出ガイド部２２Ｅは、必要に応じて一対の支持カバー部２，２に設けられておればよい。具体的には、引下線Ｗ１が一対の支持カバー部２，２の下方のみから引き出す場合、引出ガイド部２２Ｅの後方向ガイド部２２Ｇは設ける必要はない。引下線Ｗ１が一対の支持カバー部２，２の後方側のみから引き出す場合、引出ガイド部２２Ｅの下方方向ガイド部２２Ｆは設ける必要がない。引下線Ｗ１が一対の支持カバー部２，２の下方側から引き込む場合、引出ガイド部２２Ｅの下方方向ガイド部２２Ｆの位置に引込ガイド部２２Ｄを設けてもよい。また、引下線支持補助具１は、一対の支持カバー部２，２に上下方向ガイド部２２Ａのみを備えるようにしても、同様の効果を得ることができる。
【００５９】
上記実施形態に係る引下線支持補助具１は、ガイド部２２が矩形状の一対の突部２３，２３である例を説明した。しかし、ガイド部の形状は、引下線Ｗ１をガイド可能であればよく、ガイド部は、支持カバー部２から斜め方向に突出する１つの突部であってもよい。また、ガイド部は、支持カバー部２から突出する１つの突部であって、その先端側に径方向外側に向いた突起を有する突部であってもよい。また、ガイド部は、Ｃ形又はＬ形の固定具であって、この固定具で引下線Ｗ１を支持カバー部２に固定することによりこの引下線Ｗ１の位置を線芯方向に移動可能に固定するものであってもよい。
【００６０】
上記実施形態に係る引下線支持補助具１は、図７及び図８などに示すように、ガイド部２２が引下線Ｗ１を一対の支持カバー部２，２の内周面に沿ってガイドする例を説明した。つまり、一方の支持カバー部２のガイド部２２によってガイドされる引下線Ｗ１の位置は、（一対の支持カバー２，２の径方向における略真中を通す）架線Ｗ２に対して一方の支持カバー部２側の下方であり、他方の支持カバー部２のガイド部２２によってガイドされる引下線Ｗ１の位置は、架線Ｗ２に対して他方の支持カバー部２側の下方である。そのため、引下線Ｗ１は、第１の上下方向ガイド部２２Ａにガイドされる引下線Ｗ１の部分と、第２の上下方向ガイド部２２Ａとにガイドされる引下線Ｗ１の部分とを一対の支持カバー部２，２の径方向において交差させることなく架線Ｗ２の上方を通過する。
【００６１】
しかし、図１６〜図１８に示すように、ガイド部１２２が引下線Ｗ１を架線Ｗ２の下方の位置となるようにガイドしてもよい。つまり、ガイド部１２２の一対の突部１２３，１２３が一対の支持カバー部２，２の内周面から一対の支持カバー部２，２の径方向において架線Ｗ２を通す位置まで突出させた位置に設けられていてもよい。
【００６２】
さらに、図１９に示すように、一対の支持カバー部２，２のそれぞれに設けられるガイド部２２２によってガイドされる引下線Ｗ１の位置が架線Ｗ２に対して互いに異なる支持カバー部２，２側の下方となるように、ガイド部２２２が設けられていてもよい。このようにすると、引下線Ｗ１は、一方の支持カバー部２のガイド部２２２にガイドされる引下線Ｗ１の部分と、他方の支持カバー部２のガイド部２２２にガイドされる引下線Ｗ１の部分とを一対の支持カバー部２，２の径方向において交差して架線Ｗ２の上方を通過する。
【００６３】
このようなガイド部１２２，２２２であれは、引下線Ｗ１を架線Ｗ２の下方の側面においても当接可能にガイドすることができ、引下線Ｗ１を架線Ｗ２に確り巻き付けることができる。
【００６４】
上記実施形態に係る引下線支持補助具１は、分岐部Ｗ３を覆う分岐部カバー４を備える例を説明した。しかし、分岐部カバーは、更に、分岐部Ｗ３が密閉可能な構造を有することが好ましい。具体的には、分岐部カバーは、一対の分岐部カバーと、該一対の分岐部カバーの一端を連結する連結部と、一対の分岐部カバーの閉止する閉止部と、引下線支持補助具１に固定可能な固定部とを備え、引下線支持補助具１が架線Ｗ２に取り付けられた後、一対の分岐部カバーを引下線支持補助具１に固定し、一対の分岐部カバーを閉止することにより、一対の分岐部カバーの内部が密閉され、分岐部Ｗ３を保護するようにしてもよい。
【符号の説明】
【００６５】
１…引下線支持補助具、２…支持カバー部、２Ａ…入口側電線開口、２Ｂ…出口側電線開口、２Ｃ…下方側電線開口、２Ｄ…後方側電線開口、２１…支持カバー本体、２２…ガイド部、２２Ａ…上下方向ガイド部、２２Ｂ…第１の上下方向ガイド部、２２Ｃ…第２の上下方向ガイド部、２２Ｄ…引込ガイド部、２２Ｅ…引出ガイド部、２２Ｆ…下方方向ガイド部、２２Ｇ…後方向ガイド部、２３…突部、２４…突部本体、２５…凹部、２６…第１凹部、２７…第２凹部、２８…把持部、２９…閉止部、２９Ａ…凸部、２９Ｂ…孔部、３…連結部、３１…連結部材、３２…開口部、３３…薄肉部、３４…貫通部、４…分岐部カバー、４１…カバー本体、４２…貫通孔、４３…軸部、４４…脱落防止部、Ｗ１…引下線、Ｗ２…架線、Ｗ３…分岐部、Ｇ…隙間、Ｈ…貫通孔
【要約】
【課題】分岐部に引下線による張力がかからないように引下線を架線に掛ける作業が簡単にできる引下線支持補助具及び引下線支持方法を提供する。
【解決手段】一対の支持カバー部のそれぞれは、架線を通す位置より上方の位置に引下線をガイドする第１の上下方向ガイド部と、架線を通す位置より下方の位置に引下線をガイドする第２の上下方向ガイド部とを備える。
【選択図】図１【図１】
0005465766.tif 000002
【図２】
0005465766.tif 000003
【図３】
0005465766.tif 000004
【図４】
0005465766.tif 000005
【図５】
0005465766.tif 000006
【図６】
0005465766.tif 000007
【図７】
0005465766.tif 000008
【図８】
0005465766.tif 000009
【図９】
0005465766.tif 000010
【図１０】
0005465766.tif 000011
【図１１】
0005465766.tif 000012
【図１２】
0005465766.tif 000013
【図１３】
0005465766.tif 000014
【図１４】
0005465766.tif 000015
【図１５】
0005465766.tif 000016
【図１６】
0005465766.tif 000017
【図１７】
0005465766.tif 000018
【図１８】
0005465766.tif 000019
【図１９】
0005465766.tif 000020